(57)【特許請求の範囲】
【請求項１】
タンクの底部近傍位置に、端部をタンク外に開放した捨て管を配設し、タンクの設置工事中にタンク周辺の水位が上昇したときに、タンク内に水を流入させるようにする設置工事中のタンクの浮き上がり防止方法において、仕切壁により区画されている隣接する室を連通する貫通管を、設置工事完了後、貫通管の上部に補助管を接続することにより、タンクの一方の室から他方の室に処理液を導入する設備配管として利用できるように配設し、該貫通管を介して、区画された複数の室の各々に水を流入させるようにすることを特徴とする設置工事中のタンクの浮き上がり防止方法。
【発明の詳細な説明】
【０００１】
【発明の属する技術分野】
本発明は、設置工事中のタンクの浮き上がり防止方法に関し、特に、タンクの設置工事中にタンク周辺の水位が上昇したときに、タンクの浮き上がりを簡易に防止するための設置工事中のタンクの浮き上がり防止方法に関するものである。
【０００２】
【従来の技術】
従来、平面形状が円形や角形のコンクリート製や金属製の下水処理槽等の大形のタンク類（本明細書において、単に、「タンク」という。）の設置工事中に、大雨やダムの放水等によりタンク周辺の水位が上昇すると、タンクに浮力が働き、タンクが浮き上がる事故が発生して、多大な損害を被ることがあった。
【０００３】
これを防止するために、タンクの設置工事の期間中、常時タンク内に水張りを行うことにより、タンク周辺の水位の上昇によってタンクが浮き上がらないようにしたり、タンク周辺の水位の上昇が予想される場合に、タンク内に水張りを行うことにより、タンクの浮き上がりを防止することが行われていた。
【０００４】
【発明が解決しようとする課題】
これによって、タンクの浮き上がりを防止することができるものの、常時タンク内に水張りを行うようにすると、タンクにポンプ等の各種機械設備の据付作業を行う際の支障となり、その都度、タンク内の水を抜き、ドライな状態にして上記の据付作業を行った後、再度、水張りを行う必要があり、作業効率が低下するという問題があった。
【０００５】
一方、タンク周辺の水位の上昇が予想される場合に、タンク内に水張りを行うようにすると、水張り及び水抜きに手数を要し、作業効率が低下するだけでなく、不測のタンク周辺の水位の上昇に対応することができないという問題があった。
【０００６】
本発明は、上記従来のタンクの設置工事の際の問題点に鑑み、作業効率を低下させることなく、タンクの設置工事中にタンク周辺の水位が上昇したときに、タンクの浮き上がりを簡易に防止することができるようにした設置工事中のタンクの浮き上がり防止方法を提供することを目的とする。
【０００７】
【課題を解決するための手段】
上記目的を達成するため、本発明の設置工事中のタンクの浮き上がり防止方法は、タンクの底部近傍位置に、端部をタンク外に開放した捨て管を配設し、タンクの設置工事中にタンク周辺の水位が上昇したときに、タンク内に水を流入させるようにする設置工事中のタンクの浮き上がり防止方法において、仕切壁により区画されている隣接する室を連通する貫通管を、設置工事完了後、貫通管の上部に補助管を接続することにより、タンクの一方の室から他方の室に処理液を導入する設備配管として利用できるように配設し、該貫通管を介して、区画された複数の室の各々に水を流入させるようにすることを特徴とする。
【０００８】
この設置工事中のタンクの浮き上がり防止方法は、タンクの底部近傍位置に、端部をタンク外に開放した捨て管を配設し、タンクの設置工事中にタンク周辺の水位が上昇したときに、タンク内に水を流入させるようにする設置工事中のタンクの浮き上がり防止方法において、仕切壁により区画されている隣接する室を連通する貫通管を、設置工事完了後、貫通管の上部に補助管を接続することにより、タンクの一方の室から他方の室に処理液を導入する設備配管として利用できるように配設し、該貫通管を介して、区画された複数の室の各々に水を流入させるようにすることにより、タンクの設置工事中にタンク周辺の水位が上昇しても、これに対応して、タンク内にタンク周辺の水が捨て管を介して流入して、タンク周辺の水位の上昇によってタンクが浮き上がることを、確実に防止することができる。
【０００９】
そして、タンク内に捨て管を介して流入したタンク周辺の水を、さらに、貫通管を介して、仕切壁により区画された複数の室の各々に流入させることができ、浮力を生じさせる室をなくすことにより、周辺の水位の上昇によってタンクが浮き上がることを、より確実に防止することができる。
【００１０】
【発明の実施の形態】
以下、本発明の設置工事中のタンクの浮き上がり防止方法の実施の形態を図面に基づいて説明する。
【００１１】
図１は、本発明の設置工事中のタンクの浮き上がり防止方法を適用するタンクの一実施例を示す。
【００１２】
このタンク１は、仕切壁５により複数の室、本実施例においては、ディッチ６と沈澱池７の２室に区画された平面形状が円形の下水処理槽であって、鉄筋コンクリート製の底盤２、側壁３及び天盤９並びに仕切壁５によって構成されている。
【００１３】
この場合において、タンク１の側壁３の底部近傍位置に、端部をタンク１外に開放した捨て管４を配設し、タンクの設置工事中にタンク周辺の水位ＷＬが上昇したときに、タンク１内に水を流入させるように構成する。
【００１４】
これにより、タンク１の設置工事中にタンク周辺の水位ＷＬが上昇しても、これに対応して、タンク１内にタンク周辺の水が捨て管４を介して流入して、タンク周辺の水位の上昇によってタンク１が浮き上がることを、確実に防止することができるものとなる。
【００１５】
そして、本実施例のように、タンク１が仕切壁５により複数の室、すなわち、ディッチ６と沈澱池７に区画されている場合、隣接する室６，７を連通する貫通管８を配設するようにする。
この場合、貫通管８は、捨て管４と、略同じ高さ位置に配設するようにする。
【００１６】
これにより、タンク１（ディッチ６）内に捨て管４を介して流入したタンク周辺の水を、さらに、貫通管８を介して、仕切壁５により区画され、捨て管４が設けられていないタンク１の室（沈澱池７）に流入させることができ、浮力を生じさせる室をなくすことにより、周辺の水位の上昇によってタンク１が浮き上がることを、より確実に防止することができるものとなる。
【００１７】
タンク１に配設する捨て管４及び貫通管８の数及び管径並びに配設位置等は、タンク１の容量、予想されるタンク周辺の水位の上昇速度等に応じて決定することができる。
【００１８】
また、本実施例において、タンク１に配設した捨て管４の設置工事完了後、閉鎖して使用しないが、貫通管８は、上部に補助管８ａを接続することにより、ディッチ６から沈澱池７に処理液を導入する設備配管として利用するようにする。
【００１９】
このタンク１を地盤１０中に設置（構築）するに当たっては、タンク１の側壁３の底部近傍位置に、端部をタンク１外に開放した捨て管４を、タンクの設置工事中にタンク周辺の水位ＷＬが上昇したときに、タンク１内に水が円滑に流入するように配設し、さらに、タンク１が仕切壁５により複数の室、すなわち、ディッチ６と沈澱池７に区画されている場合には、隣接する室６，７を連通する貫通管８を配設して、タンク１（ディッチ６）内に捨て管４を介して流入したタンク周辺の水を、さらに、貫通管８を介して、仕切壁５により区画され、捨て管４が設けられていないタンク１の室（沈澱池７）に流入するようにして、浮力を生じさせる室をなくすことにより、周辺の水位の上昇によってタンク１が浮き上がることを、防止するようにする。
これにより、タンク１内に水張りを行う必要がなくなり、また、不測のタンク周辺の水位の上昇に対応することができ、作業工程の平準化を図ることが可能となり、作業効率を向上することができる。
【００２０】
以上、本発明の設置工事中のタンクの浮き上がり防止方法を、ディッチ６と沈澱池７の２室に区画された平面形状が円形のコンクリート製の下水処理槽に適用した例について説明したが、本発明の設置工事中のタンクの浮き上がり防止方法の適用対象は、これに限定されず、平面形状が円形や角形のコンクリート製や金属製の各種用途に用いられる大形のタンク類に広く適用することができる。
【００２１】
【発明の効果】
本発明の設置工事中のタンクの浮き上がり防止方法によれば、タンクの底部近傍位置に、端部をタンク外に開放した捨て管を配設し、タンクの設置工事中にタンク周辺の水位が上昇したときに、タンク内に水を流入させるようにする設置工事中のタンクの浮き上がり防止方法において、仕切壁により区画されている隣接する室を連通する貫通管を、設置工事完了後、貫通管の上部に補助管を接続することにより、タンクの一方の室から他方の室に処理液を導入する設備配管として利用できるように配設し、該貫通管を介して、区画された複数の室の各々に水を流入させるようにすることにより、タンクの設置工事中にタンク周辺の水位が上昇しても、これに対応して、タンク内にタンク周辺の水が捨て管を介して流入して、タンク周辺の水位の上昇によってタンクが浮き上がることを、確実に防止することができ、これにより、不測のタンク周辺の水位の上昇に対応することができるとともに、作業工程の平準化を図ることが可能となり、作業効率を低下させることなく、タンクの浮き上がりを簡易に防止することができる。
【００２２】
そして、タンク内に捨て管を介して流入したタンク周辺の水を、さらに、貫通管を介して、仕切壁により区画された複数の室の各々に流入させることができ、浮力を生じさせる室をなくすことにより、周辺の水位の上昇によってタンクが浮き上がることを、より確実に防止することができるとともに、仕切壁により区画されている隣接する室を連通する貫通管を、設置工事完了後、貫通管の上部に補助管を接続することにより、タンクの一方の室から他方の室に処理液を導入する設備配管として利用できる。
【図面の簡単な説明】
【図１】  本発明の設置工事中のタンクの浮き上がり防止方法を適用したタンクの一例を示す説明図である。
【符号の説明】
１    タンク
２    底盤
３    側壁
４    捨て管
５    仕切壁
６    室（デイッチ）
７    室（沈澱池）
８    貫通管
９    天盤
１０  地盤
【図１】
0004067683.tif 000002